(57)【要約】【課題】場取らず設置でき、かつ、開閉作業が容易な衝立を提供する。【解決手段】１個の台板２上に２本のポール９，９を前後に近接して立設するとともに該２本のポール９，９を、その下部を中心として左右方向に回転可能に設け、かつ、該２本のポール９，９の垂直状の起立状態と、２本のポール９，９を相反する方向へ回転した状態とをロックするロック手段を設け、更に、前記２本のポール９，９間に折り畳み可能なプリーツ２７を架設する。前記の回動するポール９，９に、該ポール９，９を垂直状に起立した時に、前記折り畳まれたプリーツ２７を被覆する遮蔽壁を設ける。【選択図】          図１３
2004332208.tif 000002
【特許請求の範囲】
【請求項１】
台板上に２本のポールを適宜間隔を有して立設するとともに該２本のポールを、その下部を中心として起倒方向へ回転可能に設け、該２本のポール間に折り畳み可能なプリーツを架設したことを特徴とする衝立。
【請求項２】
１個の台板上に２本のポールを前後に近接して立設するとともに該２本のポールを、その下部を中心として左右方向に回転可能に設け、かつ、該２本のポールの垂直状の起立状態と、２本のポールを相反する方向へ回転した状態とをロックするロック手段を設け、更に、前記２本のポール間に折り畳み可能なプリーツを架設したことを特徴とする衝立。
【請求項３】
１個の台板上に中間ポールを立設するとともに該中間ポールの左右に左右のポールを近接して立設し、該左右のポールを、その下部を中心として左右方向に回転可能に設け、かつ、該左右のポールの垂直状の起立状態と、左右のポールを相反する方向へ回転した状態とをロックするロック手段を設け、更に、左右のポールと前記中間ポール間に折り畳み可能なプリーツを架設したことを特徴とする衝立。
【請求項４】
前記の回動するポールに、該ポールを垂直状に起立した時に、前記折り畳まれたプリーツを被覆する遮蔽壁を設けた請求項１乃至３のいずれかに記載の衝立。
【発明の詳細な説明】
【０００１】
【発明の属する技術分野】
本発明は衝立に関する。
【０００２】
【従来の技術】
従来、部屋内において目隠しなどとして用いられる衝立であって、不使用時には移動可能にした衝立として、例えば使用時に、目隠ししたい左右方向の範囲の一方と他方にそれぞれポールを立て、一方のポール中に巻き込まれた膜を引き出し、他方のポールまで延ばして他方のポールに止着するようにしたロールカーテン式の衝立が知られている。
【０００３】
【発明が解決しようとする課題】
前記従来のロールカーテン式の衝立においては、台付きの２本のポールを離れた位置に置いてこの間に膜が張られることから、この衝立の床部でのスペースが大きく必要であり、また、使用位置に設置したり、不使用時に片付ける場合には、２本のポールを別々に持ち運んで移動しなければならず、その作業が面倒である上に、不使用時の収納スペースも大きく必要になる。
【０００４】
そこで本発明は、前記の問題を解決する衝立を提供することを目的とするものである。
【０００５】
【課題を解決するための手段】
前記の課題を解決するために、請求項１記載の発明は、台板上に２本のポールを適宜間隔を有して立設するとともに該２本のポールを、その下部を中心として起倒方向へ回転可能に設け、該２本のポール間に折り畳み可能なプリーツを架設したことを特徴とするものである。
【０００６】
請求項２記載の発明は、１個の台板上に２本のポールを前後に近接して立設するとともに該２本のポールを、その下部を中心として左右方向に回転可能に設け、かつ、該２本のポールの垂直状の起立状態と、２本のポールを相反する方向へ回転した状態とをロックするロック手段を設け、更に、前記２本のポール間に折り畳み可能なプリーツを架設したことを特徴とするものである。
【０００７】
請求項３記載の発明は、１個の台板上に中間ポールを立設するとともに該中間ポールの左右に左右のポールを近接して立設し、該左右のポールを、その下部を中心として左右方向に回転可能に設け、かつ、該左右のポールの垂直状の起立状態と、左右のポールを相反する方向へ回転した状態とをロックするロック手段を設け、更に、左右のポールと前記中間ポール間に折り畳み可能なプリーツを架設したことを特徴とするものである。
【０００８】
請求項４記載の発明は、前記請求項１乃至３のいずれの発明において、前記の回動するポールに、該ポールを垂直状に起立した時に、前記折り畳まれたプリーツを被覆する遮蔽壁を設けたものである。
【０００９】
【発明の実施の形態】
本発明の好ましい実施の形態について図に示す実施例に基づいて説明する。
【００１０】
図１乃至図１１は第１実施例を示す。
１は台板で、該１枚の台板１の四隅の下面には移動用の車輪２、例えばキャスタが備えられている。該台板１の上面における中央部には、２個のポール受け金具３，４が、前後方向に所定の間隔Ｌを有して固設されている。なお、図１においてＡ側を前側とし、Ｂ側を後側とし、Ｃ側を左側とし、Ｄ側を右側とする。
【００１１】
前記前側のポール受け金具３は左右方向から見て図５に示すようにＵ字状断面に形成されており、底板５と外壁６と内壁７とからなり、上部と左右部が開口している。該ポール受け金具３はビス８などにより台板１に固着されている。
【００１２】
前記ポール受金具３内には、図６及び図７に示すように、横断面形状が方形で上方向に長い前側ポール９の下部が摺動可能に挿入されている。更に、該前側ポール９の下端には図９及び図１０に示すような下キャップ１０が嵌合固着されており、該下キャップ１０の下面１１は、図４及び図１０に示すように、左右方向において下方へ突出する円弧面に形成され、中央部には上下方向の貫通穴１２が形成されている。
【００１３】
前記前側ポール９内には操作棒１３が上下方向に摺動可能に挿通して備えられており、その下端部は下キャップ１０の貫通穴１２に挿通されている。
【００１４】
前記前側ポール９及び操作棒１３の下端より若干上方に位置して、ポール受金具３の外壁６と内壁７と前側ポール９と操作棒１３を前後方向に貫通する支軸１４が設けられており、前側ポール９が支軸１４を中心として左右方向（起倒方向）に揺動（回転）可能に支持されている。また、該支軸１４が貫通する操作棒１３の穴は、図４及び図５に示すように、上下方向に長い長穴１５に形成され、操作棒１３が、支軸１４を中心として前側ポール９とともに揺動可能で、かつ、前側ポール９に対して上下方向に移動可能に備えられている。
【００１５】
前記ポール受金具３の外壁６と内壁７の下部には案内穴１６が形成され、前記下キャップ１０の下部には図５及び図１０に示すように上下方向に長い案内穴１７が形成されている。
【００１６】
そして、前記操作棒１３における前記支軸１４より下方の位置には、ロックピン１８が前後方向に貫通固定して備えられており、その前後部は前記下キャップ１０の長穴１７とポール受け金具３の案内穴１６に貫通している。
【００１７】
前記ポール受金具３の案内穴１６は、図４に示すように、ポール受け金具３の中央から一方、図の例では左方へ、前記支軸１４を中心として円弧状に形成され、前記ロックピン１８が案内穴１６を移動できるようになっている。
【００１８】
前記案内穴１６の上側には前記ロックピン１８が嵌合するロック穴１９，２０，２１が凹状に形成されている。該ロック穴は、前側ポール９が垂直状態の時にロックピン１８が位置する０°部に形成した第１のロック穴１９と、前記ポール９が垂直状態から図４の矢印Ｅ方向に３０°傾斜したときにロックピン１８が位置する部分に設けられた第２のロック穴２０と、更に６０°傾斜したときにロックピン１８が位置する部分に設けられた第３のロック穴２１とからなる。なお、このロック穴の数と傾斜角は所望に設定するもので、前記の数と角度に限定するものではない。
【００１９】
前記操作棒１３における前記支軸１４の上方には、バネ受けピン２２が突設され、該バネ受けピン２２と前記支軸１４間に付勢手段であるコイルバネ２３が圧縮介在されており、操作棒１３を常時上方に付勢している。
【００２０】
前記前側ポール９の高さ（長さ）は所望の高さ（長さ）に形成されており、実施例では約１．５ｍに形成されている。そして、該前側ポール９の上端には図１１に示すような上キャップ２４が固設されている。該上キャップ２４の中央上部には操作穴２５が形成され、該操作穴２５部に前記操作棒１３の上端の操作端２６が位置しており、操作端２６を手で上方から押して操作棒１３を下動できるようになっている。
【００２１】
前記操作棒１３、ロックピン１８、ロック穴１９〜２１、付勢手段２３などによりロック手段が構成されている。
【００２２】
前記前側のポール受け金具３、前側ポール９、操作棒１３などからなるプリーツ支持手段３０は、後側のポール受け金具４側にも設けられており、その、プリーツ支持手段３０Ａの構造は前記と同様であるため、前記と同一部分には前記と同一符号を付してその説明は省略する。但し、この後側のプリーツ支持手段３０Ａにおける後側ポール９は、図４において、前記前側ポール９のＥ方向と反対のＦ方向に回動させるため、前記の案内穴１６とロック穴１９，２０，２１は、後側のポール受け金具４においては、図４における支軸１４を通る垂線に対して線対称的に、右側に形成されている。
【００２３】
そして、前記前側のプリーツ支持手段３０における前側ポール９の内側面と、後側のプリーツ支持手段３０Ａにおける後側ポール９の内側面との間に、布等などからなる扇状のプリーツ２７が両端２７ａ，２７ｂを固着して図６に示すように折曲可能に架設されている。
【００２４】
次に、使用状態について説明する。
図１乃至図３に示すように、前側ポール９と後側ポール９を垂直状態に起立させた状態では、ロックピン１８が第１のロック穴１９部に位置し、かつ、付勢手段２３の付勢力によって操作棒１３，１３が上方に押し上げられてロックピン１８が第１のロック穴１９に嵌合し、両ポール９，９は相互に平行した起立（垂直）状態に保持される。また、プリーツ２７は図１及び図２に示すように折り畳まれた状態になる。したがって、本発明の衝立全体が棒状に折り畳まれるため、この折り畳まれた不使用状態では、占有空間が小さく、場取らない。
【００２５】
次に、前記の不使用状態から、使用状態にする場合には、まず、一方、例えば前側ポール９の操作棒１３の操作端２６を付勢手段２３の付勢力に抗して手動で押し、操作棒１３を下降させる。これにより、操作棒１３に設けられたロックピン１８が下降し、前記第１のロック穴１９から案内穴１６内に外れる。この状態で、その前側ポール９を、支軸１４を中心として図４の矢印Ｅ方向（左側方向）へ所定量、例えばロックピン１８が第３のロック穴２１に位置するまで倒伏回転し傾斜させる。その後、操作端２６より手を離す。これにより、操作棒１３は付勢手段２３の付勢力により上動し、ロックピン１８が第３のロック穴２１に嵌合係止し、前側ポール９の傾斜状態がロックされる。
【００２６】
次に、他方、例えば後側のポール９も前記と同様の操作により、図４の矢印Ｆ方向（右側方向）へ所定量、例えばロックピン１８が第３のロック穴２１に位置するまで回転し、その後前記と同様の操作によりロックする。
【００２７】
前記のように両ポール９，９を相反する左右方向へ傾斜し、ロックすることにより、図１２及び図１３に示すように、プリーツ２７が、下端の１点を中心として扇状に開き、衝立として使用することができる。
【００２８】
この使用状態では、プリーツ２７が１点で支持されるため、床部分での占有空間が少なくてよい。
【００２９】
前記のプリーツ２７が開いた状態からプリーツ２７を閉じる場合には、両ポール９，９において、前記と同様に操作端２６を押してロックピン１８を第３のロック穴２１から外し、ポール９を垂直状態に回転し、その後操作端２６から手を離す。これにより付勢手段２３によって操作棒１３が上動し、ロックピン１８が第１のロック穴１９に嵌合係止し、その両ポール９，９の垂直状態がロックされる。
【００３０】
図１４及び図１５は第２実施例を示す。
１は前記と同様の台板で、その上面の中央部には、前後壁４１，４２を形成したポール受け金具４３が固設されている。該ポール受け金具４３の中央部には、中間ポール４４が立設されている。該中間ポール４４の左側には、所定の間隔を有して一方（右側）のポール４５が配置されており、該ポール４５には、前記ポール受け金具４３に前後方向に固設した支軸４６が貫通され、該ポール４５が、支軸４６を中心として左右方向に回転可能に支持されている。
【００３１】
前記一方のポール４５内には操作棒４７が上下に摺動可能に挿入されており、該操作棒４７に形成した上下方向に長い長穴４８に前記の支軸４６が挿通されている。
【００３２】
前記ポール受け金具４３の前後壁４１，４２には、前記支軸４６を中心とする案内穴４９と、該案内穴４９の上側に凹状に形成した第１のロック穴５０と第２のロック穴５１が形成されている。
【００３３】
前記操作棒４７の下部には、ロックピン５２が固設され、該ロックピン５２の両端が前記案内穴４９に嵌合している。更に、前記第１のロック穴５０は、操作棒４７の垂直状態においてロックピン５２が嵌合する位置に形成され、第２のロック穴５１は、操作棒４７が支軸４６を中心として左方（矢印Ｆ方向）へ所定量傾斜した時にロックピン５２が嵌合する位置に形成されている。該ロック穴の数と傾斜角は所望に設定するもので、前記の数と角度に限定されるものではない。
【００３４】
前記操作棒４７には前記実施例と同様のバネ受けピン５３が設けられており、該バネ受けピン５３と前記支軸４６間には付勢手段であるコイルバネ５４が介在され、操作棒４７を常時上方へ付勢している。
【００３５】
前記中間ポール４４と、前記左側のポール４５間には折り畳み可能な左側のプリーツ５５が、両端を固着して架設されている。
【００３６】
また、前記左側のポール４５の前後には遮蔽壁５６，５７が前記中間ポール４４に向かって一体に突設されており、左側のポール４５を垂直状態に起立させた場合に、折り畳まれた前記のプリーツ５５の前側と後側を被覆して遮蔽するようになっている。
【００３７】
前記左側のポール４５の上端と操作棒４７の上端は前記第１実施例と同様である。
【００３８】
前記左側のポール４５と操作棒４７などからなるプリーツ支持手段６０は、前記中間ポール４４の右側にも適宜間隔を有して配置されており、その右側のプリーツ支持手段６０Ａは前記の左側のプリーツ支持手段６０と同様であるため、前記と同一部分には前記と同一符号を付してその説明は省略する。ただし、この右側のプリーツ支持手段６０Ａにおける右側のポール４７は、図１５において、前記左側のポール４７のＦ方向と反対のＧ方向に回転させるため、前記案内穴４９とロック穴５０，５１は、右側においては、図１５における中間ポール４４の軸芯線に対して線対称的に形成されている。
【００３９】
そして、右側のポール４５と中間ポール４４間にも前記と同様に右側のプリーツ５５が架設されている。
【００４０】
本第２実施例においても、前記第１実施例と同様の操作により両ポール４５，４５を開閉し、かつ、その開閉位置をロックすることができる。
【００４１】
そのため、本第２実施例においても前記第１実施例と同様の効果を発揮できる上に、更に、本第２実施例においては、両ポール４５，４５を垂直状態に起立させた不使用状態では、折り畳まれたプリーツ５５，５５を遮蔽壁５６，５７で被覆して外部から見えないようにすることができ、前記第１実施例に比べて美観を高めることができる。
【００４２】
なお、前記第１実施例において、図６の鎖線で示すように、両ポール９，９に遮蔽壁７０，７０を設けることにより、前記第２実施例と同様に、折り畳まれたプリーツ２７を遮蔽壁７０，７０で被覆して外部から見えないようにすることができる。
【００４３】
【発明の効果】
以上のようであるから、本発明においては、２本のポールを垂直状に起立させることにより、衝立全体が棒状に折り畳まれるため、この折り畳まれた不使用状態では占有空間が小さくなり、場取らず部屋の隅などに置くことが容易である。
【００４４】
また、使用の際には、２本のポールを扇状に開くことにより、プリーツが扇状に開き、このプリーツが目隠し用の膜となり、衝立として使用できる。
【００４５】
また、この衝立としての使用形態においては、ポール及びプリーツが下方において一点状に支持されるため、床部分での占有空間が少なくてよい。
【００４６】
更に、不使用状態と使用状態への変形は、２本のポールを扇状に開閉する操作でよいため、前記従来のように、２本のポールを別々に持ち運ぶものに比べて、作業が容易である。
【００４７】
更に、請求項５記載の発明のように遮蔽壁を設けることにより、折り畳んだ不使用時にプリーツが外視されないようにして美観を高めることができる。
【図面の簡単な説明】
【図１】本発明の第１実施例を示す平面図。
【図２】図１の前面図。
【図３】図１の右側面図。
【図４】図２における下部の拡大図。
【図５】図４におけるＨ−Ｈ線断面図。
【図６】図５におけるＩ−Ｉ線断面図。
【図７】図５におけるＪ−Ｊ線断面図。
【図８】図５におけるＫ−Ｋ線断面図。
【図９】下キャップの平面図。
【図１０】図９のＭ−Ｍ線断面図。
【図１１】上キャップの断面図。
【図１２】図１の状態からポールを開いた使用状態の平面図。
【図１３】図１２の前面図。
【図１４】本発明の第２実施例を示す平断面図で、図１５のＮ−Ｎ線断面図。
【図１５】図１４におけるＰ−Ｐ線断面図。
【符号の説明】
１      台板
９，９    ポール
１３    操作棒
１４    支軸
１８    ロックピン
１９〜２１    ロック穴
２７    プリーツ
４４    中間ポール
４５，４５    ポール
４７    操作棒
５０，５０    ロック穴
５１    ロックピン
５５，５５    プリーツ
５７，６０    遮蔽壁
【図１】
2004332208.tif 000003
【図２】
2004332208.tif 000004
【図３】
2004332208.tif 000005
【図４】
2004332208.tif 000006
【図５】
2004332208.tif 000007
【図６】
2004332208.tif 000008
【図７】
2004332208.tif 000009
【図８】
2004332208.tif 000010
【図９】
2004332208.tif 000011
【図１０】
2004332208.tif 000012
【図１１】
2004332208.tif 000013
【図１２】
2004332208.tif 000014
【図１３】
2004332208.tif 000015
【図１４】
2004332208.tif 000016
【図１５】
2004332208.tif 000017